(57)【特許請求の範囲】
【請求項１】
仕切板で仕切られた複数のタブ収容室を有する雄ハウジングを有し、前記タブ収容室にばね性の雌タブが収容された雄コネクタを備えた基板接続用コネクタであって、
前記タブ収容室は、底板部と、この底板部上に形成される中央壁部と、この中央壁部の両側に形成され前記雌タブに合致する外端縁を有する複数の仕切壁とを有して外側部を開放した構造に構成されており、
前記雌タブは、前記仕切壁間に摩擦係止されて前記タブ収容室に収容されていることを特徴とする基板接続用コネクタ。
【請求項２】
前記雌タブは、雄タブが挿入されるばね部と、該ばね部の側部に一体に形成された脚部とからなり、前記タブ収容室の下端部の外側に当接部が形成され、該当接部に前記ばね部の下面を当接させて前記雌タブを前記タブ収容室に取り付けたことを特徴とする請求項１記載の基板接続用コネクタ。
【請求項３】
前記雌タブは、一側部が開放された箱部内に折曲げられたばね部が形成され、前記箱部の下部に前記脚部が一体に形成された構造であり、前記箱部の底辺を前記タブ収容室の下端部の外側に形成された当接部に当接させて前記雌タブを前記タブ収容室に取り付けたことを特徴とする請求項１記載の基板接続用コネクタ。
【発明の詳細な説明】
【０００１】
【発明の属する技術分野】
本発明は、配線基板同志を接続するための基板接続用コネクタに関し、詳しくは、雄コネクタの改良に関するものである。
【０００２】
【従来の技術】
図５に、従来の基板接続用コネクタを示している。基板１ａには雌コネクタ２が取り付けられ、基板１ｂには雄コネクタ３が取り付けられている。雌コネクタ２は、雌ハウジング４とこの雌ハウジング４に取り付けられた雄タブ５とからなり、雄タブ５の脚部５ａは基板１ａと半田付けされている。雄コネクタ３は、雄ハウジング６と、この雄ハウジング６に形成された角形のタブ収容室６ａ（図６参照）内に収容されたばね性の雌タブ７とからなり、雌タブ７の脚部７ｂが基板１ｂに半田付けされている。雄コネクタ３を雌コネクタ２の雌ハウジング４に嵌合させると、雄タブ５が雌タブ７のばね部７ａに嵌まり、雄、雌のタブ５、７が電気的に接続されるようになっている。
【０００３】
【発明が解決しようとする課題】
上記した従来の基板接続用コネクタは、図５および図６に示すように、雄ハウジング６に角形のタブ収容室６ａを形成するため、短幅側の側部に外側壁６０を設けている。そのため、この外側壁６０の分だけ雄ハウジング６の短幅方向の寸法が大きくなり、雄コネクタ３がそれだけ大型化し、この雄コネクタ３が嵌まる雌コネクタ２も大型化するという問題がある。
【０００４】
本発明は上述の点に着目してなされたもので、雄ハウジングの構造を改善することにより、小型化された基板接続用コネクタを提供することを目的とする。
【０００５】
【課題を解決するための手段】
前記目的を達成するため、請求項１記載の発明は、仕切板で仕切られた複数のタブ収容室を有する雄ハウジングを有し、前記タブ収容室にばね性の雌タブが収容された雄コネクタを備えた基板接続用コネクタであって、
前記タブ収容室は、底板部と、この底板部上に形成される中央壁部と、この中央壁部の両側に形成され前記雌タブに合致する外端縁を有する複数の仕切壁とを有して外側部を開放した構造に構成されており、
前記雌タブは、前記仕切壁間に摩擦係止されて前記タブ収容室に収容されていることを特徴とするものである。
【０００６】
このため、請求項１記載の発明では、雄ハウジングのタブ収容室の外側壁が除去された構造となり、その分雄ハウジングの短幅が小さくなり、雌コネクタ及び雄コネクタの小型化ができる。
【０００７】
また、請求項２記載の発明は、請求項１記載の基板接続用コネクタであって、前記雌タブは、雄タブが挿入されるばね部と、該ばね部の側部に一体に形成された脚部とからなり、前記タブ収容室の下端部の外側に当接部が形成され、該当接部に前記ばね部の下面を当接させて前記雌タブを前記タブ収容室に取り付けたことを特徴とするものである。
【０００８】
このため、請求項２記載の発明では、雌タブのばね部の外端縁を仕切板の外端縁と合わせる位置まで延ばすことができ、ばね部の幅を小さくすることなく、雄ハウジングのみ小型化できる。
【０００９】
また、雌タブのばね部は、その下面をハウジングの当接部に当接させて取り付けられるので、雄タブ嵌合時の嵌合荷重を前記当接部で受けることができ、これによって前記ばね部の変形を避けることができる。
【００１０】
また、請求項３記載の発明は、請求項１記載の基板接続用コネクタであって、前記雌タブは、一側部が開放された箱部内に折曲げられたばね部が形成され、前記箱部の下部に前記脚部が一体に形成された構造であり、前記箱部の底辺を前記タブ収容室の下端部の外側に形成された当接部に当接させて前記雌タブを前記タブ収容室に取り付けたことを特徴とするものである。
【００１１】
このため、請求項３記載の発明では、雌タブの箱部は、その底辺をハウジングの当接部に当接させて取り付けられるので、雄タブ嵌合時の嵌合荷重を前記当接部で受けることができ、これによって前記箱部の変形を避けることができる。
【００１４】
【発明の実施の形態】
以下、本発明の実施の形態を図面に基づいて説明する。なお、図５および図６と同一部材または同一機能のものは同一符号で示している。
【００１５】
図１において、基板１ａには雌コネクタ２が取り付けられ、基板１ｂには雄コネクタ３が取り付けられている。雌コネクタ２は、雌ハウジング４と、この雌ハウジング４に取り付けられた雄タブ５とからなる。雄タブ５は、雌ハウジング４外の脚部５ａにおいて基板１ａと半田付けされる。
【００１６】
雄コネクタ３は、雄ハウジング６と、この雄ハウジング６に取り付けられた雌タブ７とからなる。この雄コネクタ３の構造の詳細を図２の組立て図により説明する。なお、図２の（Ａ）は斜視図、（Ｂ）は側面図を示す。
【００１７】
図２（ａ）において、雌タブ７は、ばね部７ａと、その側部に一体に形成された脚部７ｂとからなり、ばね部７ａに形成された折曲部８を相対向させている。脚部７ｂの両側縁には突起１０が形成されている。
【００１８】
図２（ｂ）において、雄ハウジング６は、底板部１１上に長手方向に向く中央壁部１２と、この中央壁部１２の両側に形成された複数の仕切板１３とを有し、該中央壁部１２と仕切板１３とで外側部が開放された複数のタブ収容部６ａが形成されている。底板部１１の上部の短幅方向両側には各仕切板１３の間に位置する当接部１５が形成され、この当接部１５の内側は凹部１６となっている（図１参照）。底板部１１の裏面には、仕切板１３と対応する位置にリブ１７が形成されている。
【００１９】
図２（ｃ）において、前記タブ収容室６ａに雌タブ７を圧入することにより、脚部７ｂは底板部１１から下方に突出し、突起１０が凹部１６の上面に係止すると共に、ばね部７ａの下面７ｃは、当接部１５に当接され、かつばね部７ａの両面は仕切板１３に圧接して摩擦係止される。
【００２０】
脚部７ｂを図２（ａ）に示す折曲線１８、１９で直角に折曲げることにより、図２（ｄ）に示す雄コネクタ３が得られる。脚部７ｂは、図１に示す基板１ｂに半田付けされる。
【００２１】
図１において、雄コネクタ３を雌コネクタ２の雌ハウジング４内に嵌合させると、雄タブ５が雄コネクタ３のばね部７ａに嵌まり、雄、雌のタブ５、７が電気的に接続される。
【００２２】
この雄コネクタ３は、図５及び図６に示す従来の雄コネクタ３の雄ハウジング６の外側壁６０を除去した構造に相当しており、外側壁６０の分だけ雄ハウジング６の短幅側の寸法を短くできることになり、これにより、雄コネクタ３の短幅側の寸法を小さくできる。したがって必然的に雌コネクタ２の短幅側の寸法も小さくでき、基板接続用コネクタの小型化が可能となる。
【００２３】
このコネクタの小型化に伴い、基板およびコネクタ用金型の縮小化を図ることができ、ひいてはコストダウンを達成することができる。また、基板の大きさを従来通りに維持した場合には、コネクタを小型にした分、印刷回路形成面積の拡大を図ることができる。
【００２４】
雄ハウジング６には、各仕切板１３の間に位置する当接部１５を形成し、雌タブ７のばね部７ａの下面７ｃを当接部１５に当接させているので、ばね部７ａの外端縁を仕切板１３の外端縁と合わせる位置まで延ばすことができる。したがって、ばね部７ａの幅は小さくすることなく、図５の外側壁６０のみを除去して雄ハウジング６の短幅寸法のみ縮小可能である。
【００２５】
また、雌タブ７のばね部７ａは、その下面７ｃを雄ハウジング６の当接部１５に当接させて取り付けられるので、雄タブ５嵌合（図１参照）時の嵌合荷重を当接部１５で受けることができ、これによってばね部７ａの変形を避けることができる。
【００２６】
図３は、雌タブ７の他の実施の形態を示すもので、箱ばね型の構造のものを示している。一側部が開放された箱部２０の下部に脚部２２が一体に形成され、上部に一体に形成されたばね部２１が箱部２０内に折曲げられたものである。この構造の雌タブ７では、箱部２０の底辺２０ａが雄ハウジング６の当接部１５に当接され、箱部２０が仕切板１３に摩擦係止される。
【００２７】
雌タブ７の箱部２０は、その底辺２０ａをハウジング６の当接部１５に当接させて取り付けられるので、雄タブ５嵌合（図１参照）時の嵌合荷重を当接部１５で受けることができ、これによって箱部２０の変形を避けることができる。
【００２８】
図４は雌タブ７の脚部７ｂの変形例であって、脚部７ｂの両側縁部に加締用舌片２３を形成し、この加締用舌片２３で電線２４を加締めつけることにより、電線２４の接続を可能としたもので、基板接続以外の電線接続に使用可能としたものである。なお、この構造は図３の箱ばね型のものにも適用可能である。
【００２９】
【発明の効果】
以上、詳述したように、請求項１記載の発明によれば、タブ収容室を、中央壁部と、中央壁部の両側に形成され雌タブに合致する外端縁を有する複数の仕切壁とを有して、外側部を開放した構造にしたので、従来の雄ハウジングのタブ収容室の外側壁が除去されたことにより、雄ハウジングの短幅寸法が小さくなり、雌コネクタ及び雄コネクタの小型化が可能となる。
【００３０】
また、請求項２記載の発明によれば、タブ収容室の下端部の外側に形成された当接部にばね部の下面を当接させた構造にしたので、雌タブのばね部の外端縁を仕切板の外端縁と合わせる位置まで延ばすことができ、これにより請求項１記載の発明の効果に加えて、ばね部の幅は小さくすることなく、雌ハウジングのみの小型化ができ、小型化による電気的接触の機能の低下を避けることができる。
【００３１】
また、請求項３記載の発明によれば、雌タブは、一側部が開放された箱部内に折曲げられたばね部が形成された箱ばね型としたので、請求項１記載の発明の効果に加えて、一般的な箱ばね型の雌タブも使用可能となる。
【図面の簡単な説明】
【図１】本発明の基板接続用コネクタの実施の形態を示す縦断側面図である。
【図２】（ａ）〜（ｄ）は雄コネクタの組立て工程図で、左側の（Ａ）は斜視図、右側の（Ｂ）は側面図である。
【図３】雌タブの他の実施の形態を示す斜視図である。
【図４】雌タブの脚部の変形例を示す側面図である。
【図５】従来の基板接続用コネクタを示す縦断側面図である。
【図６】図５の雌コネクタの平面図である。
【符号の説明】
１ａ，１ｂ  基板
２  雌コネクタ
３  雄コネクタ
６  雄ハウジング
６ａ  タブ収容室
７  雌タブ
７ａ、２１  ばね部
７ｂ  脚部（雌タブの）
７ｃ  下面（ばね部の）
１３  仕切板
１５  当接部
２０  箱部
２０ａ  底辺（箱部の）
２３  加締用舌片
【図１】
0003681567.tif 000002
【図２】
0003681567.tif 000003
【図３】
0003681567.tif 000004
【図４】
0003681567.tif 000005
【図５】
0003681567.tif 000006
【図６】
0003681567.tif 000007